(57)【要約】  可変容量型過給機は、タービン翼車の周囲に配置されるスクロール流路を形成するタービンハウジングと、スクロール流路に面しスクロール流路の内壁の一部を形成する第２ノズルリングを含む可変ノズルユニットと、タービンハウジングと第２ノズルリングとの隙間をシールする環状のシール部材と、を有するタービンを備え、シール部材は、上記隙間に挟み込まれると共にタービンハウジングと第２ノズルリングとを回転軸線方向に付勢する皿バネ構造をなし、スクロール流路よりもタービン翼車の径方向内側に配置されている。
2016159004.tif 000002
【特許請求の範囲】
【請求項１】
タービン翼車の周囲に配置されるスクロール流路を形成するタービンハウジングと、
前記スクロール流路に面し前記スクロール流路の内壁の一部を形成するノズルリングを含む可変ノズルユニットと、
前記タービンハウジングと前記ノズルリングとの隙間をシールする環状のシール部材と、を有するタービンを備え、
前記シール部材は、
前記隙間に挟み込まれると共に前記タービンハウジングと前記ノズルリングとを前記タービン翼車の回転軸線方向に付勢する皿バネ構造をなし、前記スクロール流路よりも前記タービン翼車の径方向内側に配置されている、可変容量型過給機。
【請求項２】
前記隙間では、
前記シール部材を前記回転軸線方向に挟み込む挟持部と、前記スクロール流路との間において、当該隙間が前記スクロール流路側で狭くなるように段差部が形成されている、請求項１に記載の可変容量型過給機。
【請求項３】
前記シール部材の前記回転軸線方向の両端部のうち少なくとも一方の端部は、湾曲形状をなすように折り返されている、請求項１又は２に記載の可変容量型過給機。
【請求項４】
タービン翼車の周囲に配置されるスクロール流路を形成するタービンハウジングと、
前記スクロール流路に面し前記スクロール流路の内壁の一部を形成するノズルリングを含む可変ノズルユニットと、
前記タービンハウジングと前記ノズルリングとの隙間をシールする環状のシール部材と、を有するタービンを備え、
前記シール部材は、
前記隙間に挟み込まれると共に前記タービンハウジングと前記ノズルリングとの間を前記タービン翼車の回転径方向に拡げる方向に付勢する付勢部材であり、前記スクロール流路よりも前記タービン翼車の径方向内側に配置されている、可変容量型過給機。
【請求項５】
前記スクロール流路と前記タービン翼車とを接続し、ノズルベーンが設けられたガス流入路と、 
前記タービンハウジングに設けられ、前記シール部材の径方向内側の前記ガス流入路側に位置し、前記ガス流入路側に向かって小径となる縮径面と 、を備える請求項４に記載の可変容量型過給機。
【発明の詳細な説明】
【技術分野】
【０００１】
本開示は、可変容量型過給機に関するものである。
【背景技術】
【０００２】
従来、下記特許文献１に記載の可変容量型過給機が知られている。この過給機は、タービンハウジングと排気ノズルの後部排気導入壁とに嵌合し固定される環状のシール体を有している。このシール体によってタービンハウジングと後部排気導入壁との間の隙間がシールされ、スクロール流路からのリークが抑えられる。
【先行技術文献】
【特許文献】
【０００３】
【特許文献１】特開２０１０−１１２１９５号公報
【発明の概要】
【発明が解決しようとする課題】
【０００４】
この種の可変容量型過給機の性能を向上するために、スクロール流路を形成する部品同士の隙間のシール性を高め、スクロール流路のシール性を向上することが望まれる。特許文献１の過給機では、スクロール流路を流動する排気ガスの周方向の温度分布の影響で、シール体の温度変形にも周方向の不均一が生じ、シール体のシール性能が低下する可能性がある。従って、スクロール流路のシール性には、更に改善の余地がある。【０００５】
本開示は、タービンのスクロール流路のシール性を向上する可変容量型過給機を説明する。
【課題を解決するための手段】
【０００６】
本開示の一態様に係る可変容量型過給機は、タービン翼車の周囲に配置されるスクロール流路を形成するタービンハウジングと、スクロール流路に面しスクロール流路の内壁の一部を形成するノズルリングを含む可変ノズルユニットと、タービンハウジングとノズルリングとの隙間をシールする環状のシール部材と、を有するタービンを備え、シール部材は、上記隙間に挟み込まれると共にタービンハウジングとノズルリングとをタービン翼車の回転軸線方向に付勢する皿バネ構造をなし、スクロール流路よりもタービン翼車の径方向内側に配置されている。
【発明の効果】
【０００７】
本開示の可変容量型過給機によれば、タービンのスクロール流路のシール性を向上することができる。
【図面の簡単な説明】
【０００８】
【図１】第１実施形態に係る可変容量型過給機の断面図である。
【図２】図１におけるスクロール流路の近傍を拡大して示す断面図である。
【図３】（ａ）はシール部材の平面図、（ｂ）はそのIII-III断面図である。
【図４】第２実施形態に係る可変容量型過給機のスクロール流路の近傍を拡大して示す断面図である。
【図５】（ａ）はシール部材の平面図、（ｂ）はそのV-V断面図、（ｃ）はシール部材の弾性変形を示す断面図である。
【図６】シール部材の変形例を示す断面図である。
【図７】変形例に係る可変容量型過給機のシール部材の近傍を拡大して示す断面図である。
【発明を実施するための形態】
【０００９】
本開示の一態様に係る可変容量型過給機は、タービン翼車の周囲に配置されるスクロール流路を形成するタービンハウジングと、スクロール流路に面しスクロール流路の内壁の一部を形成するノズルリングを含む可変ノズルユニットと、タービンハウジングとノズルリングとの隙間をシールする環状のシール部材と、を有するタービンを備え、シール部材は、上記隙間に挟み込まれると共にタービンハウジングとノズルリングとをタービン翼車の回転軸線方向に付勢する皿バネ構造をなし、スクロール流路よりもタービン翼車の径方向内側に配置されている。
【００１０】
上記隙間では、シール部材を回転軸線方向に挟み込む挟持部と、スクロール流路との間において、当該隙間がスクロール流路側で狭くなるように段差部が形成されているようにしてもよい。
【００１１】
シール部材の回転軸線方向の両端部のうち少なくとも一方の端部は、湾曲形状をなすように折り返されていることとしてもよい。
【００１２】
本開示の別の態様に係る可変容量型過給機は、タービン翼車の周囲に配置されるスクロール流路を形成するタービンハウジングと、スクロール流路に面しスクロール流路の内壁の一部を形成するノズルリングを含む可変ノズルユニットと、タービンハウジングとノズルリングとの隙間をシールする環状のシール部材と、を有するタービンを備え、シール部材は、上記隙間に挟み込まれると共にタービンハウジングとノズルリングとの間をタービン翼車の回転径方向に拡げる方向に付勢する付勢部材であり、スクロール流路よりもタービン翼車の径方向内側に配置されている。
【００１３】
以下、図面を参照しながら、本開示の可変容量型過給機の実施形態について説明する。なお、各図面においては、構成要素の特徴を誇張して描写する場合があるため、図面上の各部位の寸法比は必ずしも実物とは一致しない。
【００１４】
（第１実施形態）
図１に示される可変容量型過給機１は、例えば、船舶や車両の内燃機関に適用されるものである。図１に示されるように、可変容量型過給機１は、タービン２とコンプレッサ３とを備えている。タービン２は、タービンハウジング４と、タービンハウジング４に収納されたタービン翼車６と、を備えている。タービンハウジング４は、タービン翼車６の周囲において周方向に延びるスクロール流路１６を有している。コンプレッサ３は、コンプレッサハウジング５と、コンプレッサハウジング５に収納されたコンプレッサ翼車７と、を備えている。コンプレッサハウジング５は、コンプレッサ翼車７の周囲において周方向に延びるスクロール流路１７を有している。
【００１５】
タービン翼車６は回転軸１４の一端に設けられており、コンプレッサ翼車７は回転軸１４の他端に設けられている。タービンハウジング４とコンプレッサハウジング５との間には、軸受ハウジング１３が設けられている。回転軸１４は、軸受１５を介して軸受ハウジング１３に回転可能に支持されている。回転軸１４、タービン翼車６及びコンプレッサ翼車７が一体の回転体１２として回転軸線Ｈ周りに回転する。
【００１６】
タービンハウジング４には、排気ガス流入口（図示せず）及び排気ガス流出口１０が設けられている。内燃機関（図示せず）から排出された排気ガス（流体）が、排気ガス流入口を通じてタービンハウジング４内に流入する。そして、排気ガスは、スクロール流路１６を通じてタービン翼車６に流入し、タービン翼車６を回転させる。その後、排気ガスは、排気ガス流出口１０を通じてタービンハウジング４外に流出する。
【００１７】
コンプレッサハウジング５には、吸入口９及び吐出口（図示せず）が設けられている。上記のようにタービン翼車６が回転すると、回転軸１４を介してコンプレッサ翼車７が回転する。回転するコンプレッサ翼車７は、吸入口９を通じて外部の空気を吸入し、この空気を圧縮して、スクロール流路１７を通じて吐出口から吐出する。吐出口から吐出された圧縮空気は、前述の内燃機関に供給される。
【００１８】
以下の説明において、単に「軸線方向」、「径方向」、「周方向」等と言うときには、それぞれ、タービン翼車６の回転軸線方向、回転径方向、回転周方向を意味するものとする。また、「上流」、「下流」などと言うときには、スクロール流路１６における排気ガスの上流、下流を意味するものとする。
【００１９】
図１〜図３を参照しながら、タービン２について更に説明する。タービン２は可変容量型タービンである。スクロール流路１６とタービン翼車６とを接続するガス流入路２１には、可動のノズルベーン２３が設けられている。複数のノズルベーン２３が回転軸線Ｈを中心とする円周上に配置されている。各々のノズルベーン２３は回転軸線Ｈに平行な軸線周りに回動する。上記のようにノズルベーン２３が回動することで、タービン２に導入される排気ガスの流量に応じてガス流路の断面積が最適に調整される。
【００２０】
このためタービン２は、ノズルベーン２３を駆動するための可変ノズルユニット２５を備えている。可変ノズルユニット２５は、タービンハウジング４の内側に嵌め込まれており、タービンハウジング４と軸受ハウジング１３とで挟み込まれて固定される。可変ノズルユニット２５は、上記ノズルベーン２３と、第１ノズルリング３１と、第２ノズルリング（コントロールクリアランスプレート）３２と、を有している。第１ノズルリング３１及び第２ノズルリング３２は、ノズルベーン２３を軸線方向に挟んで位置している。第１ノズルリング３１と第２ノズルリング３２とは、それぞれ回転軸線Ｈを中心とするリング状を成しており、タービン翼車６を周方向に囲むように配置されている。第１ノズルリング３１と第２ノズルリング３２とで挟まれた領域が前述のガス流入路２１を構成する。第１ノズルリング３１には、各ノズルベーン２３の回動軸２３ａが回転可能に挿通されており、第１ノズルリング３１は各ノズルベーン２３を片持ちで軸支している。また、第１ノズルリング３１の軸受ハウジング１３側の面には、周方向に延びる段差７５が形成されている。各ノズルベーン２３の回動軸２３ａは、上記段差７５よりも径方向内側の位置において第１ノズルリング３１に挿通されている。第１ノズルリング３１と第２ノズルリング３２とは、軸線方向に延びる複数の連結ピン３５で連結されている。この連結ピン３５が高精度の寸法に作製されることで、ガス流入路２１の軸線方向の寸法精度が確保されている。
【００２１】
可変ノズルユニット２５は、タービン２の外部からの駆動力をノズルベーン２３に伝達するための駆動力伝達部（図示せず）、駆動リング２８、及び複数のレバー２９を有している。駆動リング２８は、回転軸線Ｈを中心とする円周上に延在している。駆動リング２８は、駆動力伝達部（図示せず）からの駆動力を受けて回転軸線Ｈ周りに回動する。レバー２９は各ノズルベーン２３に対応して設けられ、駆動リング２８の内側で円周上に配置されている。駆動リング２８の内周側には、レバー２９と同数の溝が形成されている。各レバー２９の一端は駆動リング２８の各溝に噛み合っており、各レバー２９の他端は各ノズルベーン２３の回動軸２３ａに固定されている。タービン２の外部からの駆動力が駆動力伝達部２７に入力されると、駆動リング２８が回転軸線Ｈ周りに回動する。そして、駆動リング２８の回動に伴って各レバー２９が回動し、回動軸２３ａを介して各ノズルベーン２３が回動する。
【００２２】
次に、タービンハウジング４内における可変ノズルユニット２５の配置について説明する。タービン翼車６を周方向に覆うシュラウド４１は、タービンハウジング４の内周面の一部として形成されている。シュラウド４１よりも径方向外側の位置に、可変ノズルユニット２５の第２ノズルリング３２が嵌め込まれている。第２ノズルリング３２とタービンハウジング４との間には隙間Ｇが生じている。
【００２３】
第２ノズルリング３２はスクロール流路１６に面しており、第２ノズルリング３２がスクロール流路１６の内壁の一部を形成している。すなわち、タービンハウジング４の内周面４２と第２ノズルリング３２の外側端面３４の一部とで、スクロール流路１６の内壁面が形成されている。また、タービンハウジング４の内周面上において、スクロール流路１６の内壁面を形成する内周面４２とシュラウド４１との間には、回転軸線Ｈに直交する平面４４が形成されている。平面４４は、隙間Ｇを空けて第２ノズルリング３２の外側端面３４に対面している。なお、以下では、外側端面３４のうち、スクロール流路１６の内壁面を形成する部分を外側端面３４ａとし、平面４４に対面する部分を外側端面３４ｂとして、両者を区別して呼ぶ場合がある。
【００２４】
隙間Ｇは、スクロール流路１６とガス流入路２１の下流部とを接続している。隙間Ｇからの排気ガスのリークを抑えるために、隙間Ｇにはガスケットとして環状のシール部材４５が設置されている。シール部材４５は、外側端面３４と平面４４とで軸線方向に挟み込まれている。図３にも示されるように、シール部材４５は、回転軸線Ｈを中心とする円周に沿って延在しており、回転軸線Ｈを中心軸とする皿バネ構造をなしている。すなわち、シール部材４５は、回転軸線Ｈを中心軸とする円錐面を含む構造をなす。シール部材４５は、例えば耐熱ステンレス鋼などからなる。シール部材４５は、皿バネ構造による弾性力によって、外側端面３４と平面４４とを軸線方向に遠ざける方向に付勢している。また、シール部材４５は、弾性力によって外側端面３４と平面４４とに密着し、隙間Ｇを封止するシール性を発揮する。
【００２５】
タービン２の温度に応じて隙間Ｇの軸線方向の寸法が変動するのに対し、シール部材４５は、皿バネ構造による弾性変形によって隙間Ｇの寸法変動に追従し隙間Ｇのシール性を維持する。なお、可変ノズルユニット２５全体の軸線方向の熱膨張特性と、タービンハウジング４の軸線方向の熱膨張特性との差異に起因して、タービン２が高温になるほど隙間Ｇの軸線方向の寸法は小さくなり、タービン２が低温になるほど隙間Ｇの軸線方向の寸法は大きくなる。
【００２６】
シール部材４５のうち、軸線方向の両端部４５ａ，４５ｂは、湾曲形状をなすように折り返されている。この構造により、外側端面３４及び平面４４に対してシール部材４５が鋭角部で接触することが避けられる。よって、端部４５ａと外側端面３４との接触面積、及び端部４５ｂと平面４４との接触面積が大きくなり隙間Ｇのシール性が高くなる。また、上記構造によれば、上記のような隙間Ｇの寸法変動にシール部材４５が追従するときに、端部４５ａ，４５ｂが外側端面３４，平面４４上を円滑に摺動する。なお、両方の端部４５ａ，４５ｂが上記のように湾曲形状に形成されることは必須ではなく、何れか一方が湾曲形状であってもよい。
【００２７】
図２にも示されるとおり、シール部材４５はスクロール流路１６にはみださない位置に配置されている。具体的には、スクロール流路１６は内周面４２と外側端面３４ａとで仕切られ、隙間Ｇを含まない領域である。スクロール流路１６の領域の境界線１６ａの一部を図２中に破線で示している。上記の領域として規定されるスクロール流路１６の外にシール部材４５全体が位置している。具体的には、スクロール流路１６よりも径方向内側にシール部材４５全体が配置されている。すなわち、シール部材４５は、外側端面３４ｂと平面４４とで挟み込まれており、境界線１６ａから径方向外側にははみだしていない。なお、平面４４の径方向の幅は周方向で不均一であるが、シール部材４５が境界線１６ａから径方向外側にはみださないという位置関係が、周方向全体で成立している。
【００２８】
また、隙間Ｇのうちシール部材４５が挟み込まれた部分を挟持部４７と称する。挟持部４７とスクロール流路１６との間において、外側端面３４ｂには段差部４９が形成されている。この段差部４９の存在により、隙間Ｇは、スクロール流路１６に近い側が狭く、遠い側が広くなっている。そしてシール部材４５は、スクロール流路１６から見て段差部４９よりも遠い位置で挟持されている。
【００２９】
続いて、上記タービン２を備えた可変容量型過給機１による作用効果について説明する。タービン２では、スクロール流路１６の内壁がタービンハウジング４と第２ノズルリング３２とで形成され、タービンハウジング４と第２ノズルリング３２との隙間Ｇを封止するシール部材４５が設けられている。シール部材４５は、スクロール流路１６内にはみださないように配置されている。この構造によれば、シール部材４５は、スクロール流路１６を流動する排気ガスに晒されず、スクロール流路１６内の排気ガスの温度の影響を比較的受けにくい。よって、排気ガスの周方向の温度分布に起因するシール部材４５の周方向の温度差が低減される。従って、シール部材４５に発生する、周方向に不均一な熱変形が抑えられる。その結果、シール部材４５のシール性が高められ、可変容量型過給機１の性能向上が図られる。また、皿バネ構造のシール部材４５は、リング状の平板を厚み方向にプレス加工することによって比較的容易に作製することができるので、生産コストが抑えられる。また、皿バネ構造の特性として、シール部材４５には応力が極端に集中する部位がないので、シール部材４５は耐久性に優れる。
【００３０】
また、外側端面３４ｂに段差部４９が形成されており、スクロール流路１６から見て段差部４９の奥側にシール部材４５が位置している。この構造により、挟持部４７においてシール部材４５の設置スペースを確保しながら、シール部材４５よりもスクロール流路１６に近い位置では隙間Ｇを狭くすることができる。よって、シール部材４５に対する排気ガスの温度の影響をより低減することができる。また、シール部材４５が皿バネ構造であるので、シール部材４５が弾性変形によって隙間Ｇの軸線方向の寸法変動に追従し、隙間Ｇのシール性が維持される。
【００３１】
また、第１ノズルリング３１の径方向外側の縁部とタービンハウジング４との間の隙間Ｇ２から、第１ノズルリング３１のノズルベーン２３へ対向する方向と反対側の方向へ漏れる排気ガスを考慮して、遮熱板６１と軸受ハウジング１３の間にシール部材６３を設ける構造にしてもよい。このシール部材６３は、シール部材４５と同様の皿バネ構造にしてもよい。この構造により、相乗的に排気ガスのシール性を高めることができる。遮熱板６１は、第１ノズルリング３１の径方向内側に位置しタービン翼車６と軸受ハウジング１３との間に配置されている。
【００３２】
（第２実施形態）
本開示の第２実施形態に係る可変容量型過給機１０１について説明する。本実施形態の説明において、第１実施形態の構成要素と同一又は同等の構成要素については、図面に同一の符号を付して重複する説明を省略する。
【００３３】
図４に示されるように、可変容量型過給機１０１は、前述のシール部材４５に代えてシール部材５５を備えている点で第１実施形態の可変容量型過給機１とは異なっている。図５にも示されるように、シール部材５５の断面は、軸線方向の線対称軸を有し平面４４側に開口したＣ字状をなしている。シール部材５５は、回転軸線Ｈを中心とする環状をなし、円柱面３４ｄと円柱面４４ｄとの間に径方向に挟み込まれている。つまり、シール部材５５は径方向内側において、タービンハウジング４と当接する。円柱面３４ｄは、第２ノズルリング３２の段差部４９に形成され、回転軸線Ｈを円柱軸とする円柱面である。円柱面４４ｄはタービンハウジング４においてシュラウド４１の裏面側に形成され、回転軸線Ｈを円柱軸とする円柱面である。
【００３４】
図５（ｃ）に二点鎖線で示されるように、シール部材５５は、Ｃ字断面の両端部５５ａ，５５ｂの間隔を開く方向に弾性力を発揮する。従って、シール部材５５が円柱面３４ｄと円柱面４４ｄとの間に圧入され挟み込まれると、シール部材５５は、円柱面３４ｄと円柱面４４ｄとの間隔を径方向に拡げる方向に付勢する付勢部材としても機能する。また、シール部材５５は、上記弾性力によって円柱面３４ｄと円柱面４４ｄとに密着し、隙間Ｇを封止するシール性を発揮する。
【００３５】
また、タービン２の温度に応じて隙間Ｇの径方向の寸法（円柱面３４ｄと円柱面４４ｄとの距離）が変動するが、シール部材５５は、弾性変形によって隙間Ｇの寸法変動に追従し隙間Ｇのシール性を維持する。なお、第２ノズルリング３２の径方向の熱膨張特性と、タービンハウジング４の径方向の熱膨張特性との差異に起因して、タービン２が高温になるほど隙間Ｇの径方向の寸法は大きくなり、タービン２が低温になるほど隙間Ｇの径方向の寸法は小さくなる。
【００３６】
また、第２ノズルリング３２には、段差部４９よりも径方向内側に位置する支持部位５７が存在している。シール部材５５は、この支持部位５７によって軸線方向に支持されている。従って、シール部材５５は、隙間Ｇを通じて作用するスクロール流路１６からの圧力にも抵抗する。
【００３７】
続いて、上記タービン１０２を備えた可変容量型過給機１０１による作用効果について説明する。タービン１０２では、スクロール流路１６の内壁がタービンハウジング４と第２ノズルリング３２とで形成され、タービンハウジング４と第２ノズルリング３２との隙間Ｇを封止するシール部材５５が設けられている。シール部材５５は、スクロール流路１６内にはみださないように配置されている。この構造によれば、シール部材５５は、スクロール流路１６内の排気ガスの温度の影響を比較的受けにくい。よって、排気ガスの周方向の温度分布に起因するシール部材５５の周方向の温度差が低減される。従って、シール部材５５に発生する、周方向に不均一な熱変形が抑えられ、その結果、シール部材５５のシール性が高められ、可変容量型過給機１０１の性能向上が図られる。また、断面Ｃ字のシール部材５５は、リング状の平板を厚み方向にプレス加工することによって比較的容易に作製することができるので、生産コストが抑えられる。
【００３８】
また、外側端面３４ｂに段差部４９が形成されており、スクロール流路１６から見て段差部４９の奥側にシール部材５５が位置している。この構造により、挟持部４７においてシール部材５５の設置スペースを確保しながら、シール部材５５よりもスクロール流路１６に近い位置では隙間Ｇを狭くすることができる。よって、シール部材５５に対する排気ガスの温度の影響をより低減することができる。また、シール部材５５が径方向の弾性力を発揮する構造であるので、シール部材５５が弾性変形によって隙間Ｇの径方向の寸法変動に追従し、隙間Ｇのシール性が維持される。
【００３９】
また、隙間Ｇの径方向の寸法変動は軸線方向の寸法変動に比較して算出し易い。すなわち、隙間Ｇの軸線方向の寸法変動は、タービンハウジング４の熱膨張特性に加えて、多数の部品を含む可変ノズルユニット２５全体としての熱膨張特性を考慮する必要がある。これに対し、隙間Ｇの径方向の寸法変動は、タービンハウジング４の熱膨張特性に加えて、第２ノズルリング３２の熱膨張特性のみを考慮すればよい。ここで、タービン１０２は、シール部材５５を径方向に挟み込む構造を採用しているので、隙間Ｇの径方向の寸法変動に追従させるためのシール部材５５の特性は比較的設計し易い。
【００４０】
続いて、可変容量型過給機１０１の変形例について説明する。前述のように、シール部材５５を円柱面３４ｄと円柱面４４ｄとの両方に密着させるためには、シール部材５５をタービンハウジング４の円柱面４４ｄに圧入すると共に、第２ノズルリング３２の円柱面３４ｄにも圧入する必要がある。この組立方法に鑑みれば、シール部材５５の断面形状を図６（ａ）のようにしてもよい。すなわち、シール部材５５の断面における径方向内側の端部５５ｂを径方向外側に向けて湾曲させてもよい。この構成によれば、シール部材５５がタービンハウジング４の円柱面４４ｄに圧入される際に、シール部材５５の端部５５ｂが円滑に円柱面４４ｄを摺動し、シール部材５５が円滑に挿入される。
【００４１】
また、同様の理由により、シール部材５５の断面形状を図６（ｂ）のようにしてもよい。すなわち、図６（ｂ）におけるシール部材５５の断面は、全体としてＳ字をなしている。シール部材５５の径方向内側の部分５５ｃにおいてはタービンハウジング４側に凸になるように湾曲している。シール部材５５の径方向外側の部分５５ｄにおいては可変ノズルユニット２５側に凸になるように湾曲している。この構成によれば、シール部材５５がタービンハウジング４の円柱面４４ｄにも、第２ノズルリングの円柱面３４ｄにも、円滑に圧入される。
【００４２】
さらに、同様の理由により、シール部材５５の断面形状を図６（ｃ）のようにしてもよい。すなわち、図６（ｃ）におけるシール部材５５の断面は、全体としてＶ字をなしている。この構成によれば、シール部材５５がタービンハウジング４の円柱面４４ｄにも、第２ノズルリングの円柱面３４ｄにも、円滑に圧入される。また、Ｖ字の段数は問わず、例えば、図６（ｄ）のようにしてもよく、一体形成だけでなく、複数要素による同等形状としてもよい。
【００４３】
以上、本開示の実施形態について説明したが、本発明は、上記実施形態に限られるものではなく、各請求項に記載した要旨を変更しない範囲で変形したものであってもよい。各実施形態の構成を適宜組み合わせて使用してもよい。例えば、実施形態では、挟持部４７よりもスクロール流路１６側で隙間Ｇが狭くなるようにする段差部４９が第２ノズルリング３２の外側端面３４に設けられているが、このような段差部は、タービンハウジング４の平面４４に設けられてもよい。
【００４４】
図７は、変形例に係る可変容量型過給機のシール部材５５の近傍を拡大して示す断面図である。本発明の可変容量型過給機には、この変形例の構造が採用されてもよい。当該変形例において、第１又は第２実施形態と同一又は同等の構成要素には図面に同一の符号を付して重複する説明を省略する。
【００４５】
図７に示されるように、変形例に係るタービンハウジング４には、円柱面４４ｄに連続するように円錐面７１（縮径面）が設けられている。円錐面７１は、シール部材５５の径方向内側のガス流入路２１側に位置し、ガス流入路２１側に向かって小径となる形状をなす。すなわち、円錐面７１は、円柱面４４ｄの軸受ハウジング１３側に位置し、軸受ハウジング１３側に向かって小径になっている。また、第２ノズルリング３２の内周側の一部には、上記の円錐面７１に対面する円錐内壁面７２が設けられている。
【００４６】
ここで、上記の円錐面７１による作用効果について説明する。シール部材５５を円柱面３４ｄと円柱面４４ｄとの両方に密着させるためには、シール部材５５を円柱面４４ｄと円柱面３４ｄとの両方に圧入してもよい。シール部材５５を、軸受ハウジング１３側からタービンハウジング４側に向けて円柱面４４ｄに圧入する際には、円錐面７１がガイドとなって、シール部材５５の端部５５ｂが円滑に円柱面４４ｄに案内される。よって、径方向に弾性力をもつシール部材５５を容易に組み込むことができる。
【００４７】
また、第２ノズルリング３２のうち、タービンハウジング４に対面する外側端面３４ｂの一部に、シール部材５５の円滑な挿入に十分な軸方向長さを確保するために、タービンハウジング４側に突出する段部７３が設けられてもよい。また、タービンハウジング４の平面４４には、上記の段部７３に対面する面を含み第２ノズルリング３２側と反対側に凹む溝７４が、外側端面３４ｂとの適切な距離を確保するために設けられてもよい。
【００４８】
以上のように、タービンハウジング４は、回転軸線Ｈに直交する平面４４（ハウジング平面）と、平面４４の径方向内側に位置し、回転軸線Ｈを中心とする円柱面をなし、シール部材の径方向内側に当接する円柱面４４ｄ（ハウジング円柱面）と、円柱面４４ｄの第２ノズルリング３２側に隣接して設けられ、回転軸線Ｈを中心とする円錐面をなし、円柱面４４ｄから離れるに従って小径になるように設けられた円錐面７１（縮径面）と、を有し、第２ノズルリング３２は、回転軸線Ｈに直交し平面４４に対面する外側端面３４ｂ（ノズルリング平面）と、外側端面３４ｂの径方向内側に位置し、回転軸線Ｈを中心とする円柱面をなし、シール部材の径方向外側に当接する円柱面３４ｄ（ノズルリング円柱面）と、円錐面７１に対面し回転軸線Ｈを中心とする円錐面をなす円錐内壁面７２（ノズルリング円錐面）と、を有し、外側端面３４ｂには、タービンハウジング４側に突出する段部７３が設けられており、平面４４には、段部７３に対面する面７４ａを含み第２ノズルリング３２側と反対側に凹む溝７４が設けられている、といったような図７に例示する構成を採用してもよい。
【００４９】
また、可変容量型過給機は、スクロール流路１６とタービン翼車６とを接続し、ノズルベーン２３が設けられたガス流入路２１と、 タービンハウジング４に設けられ、シール部材５５の径方向内側のガス流入路２１側に位置し、ガス流入路２１側に向かって小径となる円錐面７１（縮径面）と 、を備えてもよい。
【符号の説明】
【００５０】
１，１０１  可変容量型過給機
２  タービン
４  タービンハウジング
６  タービン翼車
１６  スクロール流路
２５  可変ノズルユニット
３２  第２ノズルリング（ノズルリング）
３４ｂ  外側端面（ノズルリング平面）
３４ｄ  円柱面（ノズルリング円柱面）
４４  平面（ハウジング平面）
４４ｄ  円柱面（ハウジング円柱面）
４５，５５  シール部材
４５ａ，４５ｂ  端部
４７  挟持部
４９  段差部
７１  円錐面（縮径面）
７２  円錐内壁面（ノズルリング円錐面）
７３  段部
７４  溝
Ｇ  隙間
Ｈ  回転軸線
【図１】
2016159004.tif 000003
【図２】
2016159004.tif 000004
【図３】
2016159004.tif 000005
【図４】
2016159004.tif 000006
【図５】
2016159004.tif 000007
【図６】
2016159004.tif 000008
【図７】
2016159004.tif 000009
【手続補正書】
【提出日】平成28年7月29日(2016.7.29)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
タービン翼車の周囲に配置されるスクロール流路を形成するタービンハウジングと、
前記スクロール流路に面し前記スクロール流路の内壁の一部を形成するノズルリングを含む可変ノズルユニットと、
前記タービンハウジングと前記ノズルリングとの隙間をシールする環状のシール部材と、を有するタービンを備え、
前記シール部材は、
前記隙間に挟み込まれると共に前記タービンハウジングと前記ノズルリングとの間を前記タービン翼車の回転径方向に拡げる方向に付勢する付勢部材であり、前記スクロール流路よりも前記タービン翼車の径方向内側に配置されている、可変容量型過給機。
【請求項５】
前記スクロール流路と前記タービン翼車とを接続し、ノズルベーンが設けられたガス流入路と、
前記タービンハウジングに設けられ、前記シール部材の径方向内側の前記ガス流入路側に位置し、前記ガス流入路側に向かって小径となる縮径面と、を備える請求項４に記載の可変容量型過給機。
【国際調査報告】
2016159004.tif 000010
2016159004.tif 000011
2016159004.tif 000012
2016159004.tif 000013